(57)【特許請求の範囲】
【請求項１】
ユーザエージェント（ＵＡ）とアクセスデバイスとの間のランダムアクセス（ＲＡ）プロシージャのための方法であって、
ＲＡメッセージ１を該アクセスデバイスに送信することであって、該ＲＡメッセージ１は、特殊プリアンブルを示し、該特殊プリアンブルは、ＲＡメッセージ３における使用のための伝送時間間隔バンドリングを有するリソース配分に対する要求を示し、該特殊プリアンブルは、該アクセスデバイスによって信号送信された特殊プリアンブル群から選択される、ことと、
ＲＡメッセージ２を該アクセスデバイスから受信することであって、該ＲＡメッセージ２は、該ＲＡメッセージ１に応答して無線リソースのリソース配分またはアップリンク許可を提供する、ことと、
該ＲＡメッセージ２において提供された伝送時間間隔バンドリングを使用して、ＲＡメッセージ３を該アクセスデバイスに送信することと
を含む、方法。
【請求項２】
前記ＲＡメッセージ１は、前記ＲＡメッセージ３において使用される伝送時間間隔バンドリングを示すインジケータを含む、請求項１に記載の方法。
【請求項３】
前記ＲＡメッセージ１は、前記ＲＡメッセージ３における伝送時間間隔バンドリングのためのリソース配分に対する要求を示すインジケータを含む、請求項１に記載の方法。
【請求項４】
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、請求項１に記載の方法。
【請求項５】
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、請求項３に記載の方法。
【請求項６】
前記特殊プリアンブル群は、放送制御チャネル（Ｂｒｏａｄｃａｓｔ  Ｃｏｎｔｒｏｌ
Ｃｈａｎｎｅｌ）において示される、請求項１に記載の方法。
【請求項７】
前記ＵＡが、前記アクセスデバイスと関連付けられた少なくとも１つのチャネルの信号質を測定し、該測定された信号質に基づいて、伝送時間間隔バンドリングを使用するかどうかを決定することをさらに含む、請求項１に記載の方法。
【請求項８】
前記信号質は、信号対雑音比としてさらに定義され、該信号対雑音比が閾値を下回る場合に、伝送時間間隔バンドリングを使用するかどうか決定することをさらに含む、請求項７に記載の方法。
【請求項９】
ユーザエージェント（ＵＡ）とアクセスデバイスとの間のランダムアクセスを確立するための方法であって、
ＲＡメッセージ１を該ＵＡから受信することであって、該ＲＡメッセージ１は、特殊プリアンブルを示し、該特殊プリアンブルは、ＲＡメッセージ３における使用のための伝送時間間隔バンドリングを有するリソース配分に対する要求を示し、前記特殊プリアンブルは、該アクセスデバイスによって信号送信された特殊プリアンブル群から選択される、ことと、
ＲＡメッセージ２を該ＵＡに送信することであって、該ＲＡメッセージ２は、該ＲＡメッセージ１に応答して無線リソースのリソース配分またはアップリンク許可を提供する、ことと、
該ＲＡメッセージ２において提供された伝送時間間隔バンドリングを使用して該ＵＡによって送信されたＲＡメッセージ３を受信することと
を含む、方法。
【請求項１０】
前記アクセスデバイスが、前記ＵＡが伝送時間間隔バンドリングを使用するために十分な無線リソースのリソース配分またはアップリンク許可を提供することをさらに含む、請求項９に記載の方法。
【請求項１１】
前記ＲＡメッセージ１は、前記ＲＡメッセージ３において使用される伝送時間間隔バンドリングを示すインジケータを含む、請求項９に記載の方法。
【請求項１２】
前記ＲＡメッセージ１は、前記ＲＡメッセージ３における伝送時間間隔バンドリングのためのリソース配分に対する要求を示すインジケータを含む、請求項９に記載の方法。
【請求項１３】
前記特殊プリアンブル群は、放送制御チャネル（Ｂｒｏａｄｃａｓｔ  Ｃｏｎｔｒｏｌ
Ｃｈａｎｎｅｌ）において示される、請求項１２に記載の方法。
【請求項１４】
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、請求項１２に記載の方法。
【請求項１５】
ユーザエージェント（ＵＡ）であって、
該ＵＡは、構成要素を備え、該構成要素は、該ＵＡが特殊プリアンブルを示すＲＡメッセージ１をアクセスデバイスに送信し、該ＵＡがＲＡメッセージ２を該アクセスデバイスから受信するように構成されており、
該ＲＡメッセージ２は、該ＲＡメッセージ１に応答して無線リソースのリソース配分またはアップリンク許可を提供し、該構成要素は、該ＵＡが該ＲＡメッセージ２において提供された伝送時間間隔バンドリングを使用して、ＲＡメッセージ３を該アクセスデバイスに送信するようにさらに構成されており、該特殊プリアンブルは、該ＲＡメッセージ３における伝送時間間隔バンドリングを有するリソース配分に対する要求を示し、該特殊プリアンブルは、該アクセスデバイスによって信号送信された特殊プリアンブル群から選択される、ＵＡ。
【請求項１６】
前記ＲＡメッセージ１は、前記ＲＡメッセージ３において使用される伝送時間間隔バンドリングを示すインジケータを含む、請求項１５に記載のＵＡ。
【請求項１７】
前記ＲＡメッセージ１は、前記ＲＡメッセージ３における伝送時間間隔バンドリングのためのリソース配分に対する要求を示すインジケータを含む、請求項１５に記載のＵＡ。
【請求項１８】
前記ＲＡメッセージ１は、特殊プリアンブルを含み、該特殊プリアンブルは、前記ＲＡメッセージ３における伝送時間間隔バンドリングのためのリソース配分に対する要求を示す、請求項１５に記載のＵＡ。
【請求項１９】
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、請求項１７に記載のＵＡ。
【請求項２０】
前記特殊プリアンブルは、特殊プリアンブル群から選択される、請求項１５に記載のＵＡ。
【請求項２１】
前記特殊プリアンブル群は、放送制御チャネル（Ｂｒｏａｄｃａｓｔ  Ｃｏｎｔｒｏｌ
Ｃｈａｎｎｅｌ）において示される、請求項２０に記載のＵＡ。
【請求項２２】
前記ＵＡが、前記アクセスデバイスと関連付けられた少なくとも１つのチャネルの信号質を測定し、該測定された信号質に基づいて、伝送時間間隔バンドリングを使用するかどうか決定することをさらに含む、請求項１５に記載のＵＡ。
【請求項２３】
前記信号質は、信号対雑音比としてさらに定義され、該信号対雑音比が閾値を下回る場合に、伝送時間間隔バンドリングを使用するかどうか決定することをさらに含む、請求項２２に記載のＵＡ。
【請求項２４】
アクセスデバイスであって、
該アクセスデバイスは、構成要素を備え、該構成要素は、該アクセスデバイスが伝送時間間隔バンドリングを有するリソース配分を要求するためにユーザエージェント（ＵＡ）で使用されるべき特殊プリアンブルを示す特殊プリアンブル群を該ＵＡに信号送信し、該アクセスデバイスがＲＡメッセージ１を該ＵＡから受信し、該アクセスデバイスがＲＡメッセージ２を該ＵＡに送信するように構成されており、該ＲＡメッセージ２は、該ＲＡメッセージ１に応答して無線リソースのリソース配分またはアップリンク許可を提供し、該構成要素は、該アクセスデバイスが、該ＲＡメッセージ２において提供された伝送時間間隔バンドリングを使用して該ＵＡによって送信されたＲＡメッセージ３を受信するようにさらに構成されており、該ＲＡメッセージ１は、特殊プリアンブルを示し、該特殊プリアンブルは、該アクセスデバイスによって信号送信された特殊プリアンブル群から選択され、該特殊プリアンブルは、該ＲＡメッセージ３における伝送時間間隔バンドリングを有するリソース配分に対する要求を示す、アクセスデバイス。
【請求項２５】
前記構成要素は、前記ＵＡが伝送時間間隔バンドリングを使用するために十分な無線リソースのリソース配分またはアップリンク許可を提供するようにさらに構成されている、請求項２４に記載のアクセスデバイス。
【請求項２６】
前記ＲＡメッセージ１は、前記ＲＡメッセージ３において使用される伝送時間間隔バンドリングを示すインジケータを含む、請求項２４に記載のアクセスデバイス。
【請求項２７】
前記ＲＡメッセージ１は、前記ＲＡメッセージ３における伝送時間間隔バンドリングのためのリソース配分に対する要求を示すインジケータを含む、請求項２４に記載のアクセスデバイス。
【請求項２８】
前記特殊プリアンブル群は、放送制御チャネル（Ｂｒｏａｄｃａｓｔ  Ｃｏｎｔｒｏｌ
Ｃｈａｎｎｅｌ）において該ＵＡに信号送信される、請求項２７に記載のアクセスデバイス。
【請求項２９】
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、請求項２７に記載のアクセスデバイス。
【発明の詳細な説明】
【背景技術】
【０００１】
本明細書で使用される場合、「ユーザエージェント」および「ＵＡ」という用語は、携帯電話、携帯情報端末、手持ち式またはラップトップコンピュータ、および電気通信能力を有する同様のデバイス等、携帯デバイスを指すことができる。
【０００２】
そのようなＵＡは、無線デバイス、および加入者識別モジュール（ＳＩＭ）アプリケーション、汎用加入者識別モジュール（ＵＳＩＭ）アプリケーション、可撤性ユーザ識別モジュール（Ｒ−ＵＩＭ）アプリケーションを含む無線デバイスの関連汎用集積回路カード（ＵＩＣＣ）から成る場合があり、またはそのようなカードを伴わないデバイス自体から成る場合がある。「ＵＡ」という用語はまた、デスクトップコンピュータ、セットトップボックス、またはネットワークノード等、同様の能力を有するが運搬可能ではないデバイスを指し得、したがって、ユーザ機器「ＵＥ」も指す。ＵＡがネットワークノードであるとき、ネットワークノードは、無線デバイス等の別の機能に代わって作用し、無線デバイスをシミュレートまたはエミュレートすることができる。例えば、いくつかの無線デバイスについて、典型的にはデバイス上に常駐するＩＰ（インターネットプロトコル）マルチメディアサブシステム（ＩＭＳ）セッション開始プロトコル（ＳＩＰ）クライアントは、実際にネットワーク内に常駐し、最適化されたプロトコルを使用して、デバイスにＳＩＰメッセージ情報を中継する。言い換えれば、伝統的に無線デバイスによって実行された、いくつかの機能は、遠隔ＵＡの形態で分散されることができ、その場合、遠隔ＵＡは、ネットワーク内の無線デバイスを表す。「ＵＡ」という用語はまた、ＳＩＰセッションを終結させることができる、任意のハードウェアまたはソフトウェア構成要素も指すことができる。
【０００３】
従来の無線電気通信システムにおいて、基地局内の伝送機器は、セルとして公知の地理的な領域内全体に、信号を伝送する。技術が進化するにつれ、以前では不可能であったサービスを提供可能な、より高度な機器が導入されるようになった。そのような高度な機器には、例えば、基地局に代わる拡張ノードＢ（ＥＮＢ）、または従来の無線電気通信システムにおける同等の機器よりもさらに高度に進化した他のシステムおよびデバイスが含まれる場合がある。そのような高度なまたは次世代の機器は、ロングタームエボリューション（ｌｏｎｇ−ｔｅｒｍ  ｅｖｏｌｕｔｉｏｎ）（ＬＴＥ）機器と称され得、また、そのような機器を使用するパケットベースのネットワークは、進化型のパケットシステム（ＥＰＳ）と称することもできる。本明細書で使用される場合、「アクセスデバイス」という用語は、従来の基地局、ＬＴＥ  ＥＮＢ、またはＵＡに、電気通信システム内の他の構成要素へのアクセスを提供可能な他のそのようなデバイス等、任意の構成要素を指す。
【発明の概要】
【課題を解決するための手段】
【０００４】
最初に、本開示の１つ以上の実施形態の例証的実装を以下で提供するが、開示されたシステムおよび／または方法は、現在既知であるか、または既存であるかにかかわらず、任意の数の技法を使用して実装され得ることを理解されたい。本開示は、本明細書で例証および説明される例示的設計および実装を含む、以下で例証される例証的実装、図面、および技法に決して限定されるべきではないが、同等物の全範囲とともに、添付の請求項の範囲内で修正され得る。
【０００５】
一実施形態では、通信を行うための方法、が提供される。本方法は、１つ以上のランダムアクセス（ＲＡ）メッセージに関連する伝送時間間隔（ＴＴＩ）バンドリング関して、通信を行うステップを含む。
【０００６】
代替実施形態では、ユーザエージェント（ＵＡ）が、提供される。ＵＡは、１つ以上のランダムアクセス（ＲＡ）メッセージに関連する伝送時間間隔（ＴＴＩ）バンドリングに関して、通信を行うように構成される、プロセッサを含む。
【０００７】
代替実施形態では、アクセスデバイスが、提供される。アクセスデバイスは、１つ以上のランダムアクセス（ＲＡ）メッセージに関連する伝送時間間隔（ＴＴＩ）バンドリングに関して、通信を行うように構成される、プロセッサを含む。
【０００８】
プールされた無線およびインターネットベースのネットワークにおける通信は、例えば、ボイスオーバーインターネットプロトコル（ＶｏＩＰ）または他のプロシージャを通して行われる、音声、映像、および／またはデータセッションを伴い得る。現在の提案下では、ＶｏＩＰセッションプロシージャは、４つのステップのランダムアクセス（ＲＡ）プロシージャを通して開始され得る。ＲＡプロシージャは、ＵＡがネットワークアクセスデバイスへのデータ伝送を開始可能なように、リソースを、例えば、ＵＡに配分するためのステップを提供する。ＲＡプロシージャでは、ＵＡは、１つ以上の利用可能な無線チャネルを介して、第１のＲＡメッセージをネットワークアクセスデバイスに送信する。チャネルは、ＵＡがセッションを確立するためのネットワークリソース（例えば、無線チャネル）を要求する目的のために、専用に確立され得る、ＵＡとネットワークアクセスデバイスとの間の１つ以上の専用チャネルを含み得る。本ステップでは、複数のＵＡが、同一チャネルを使用して、第１のメッセージを送信し、競合を引き起こし得ることに留意されたい。
【０００９】
第２のステップでは、リソース（例えば、無線チャネル）を要求する第１のＲＡメッセージの受信に応答して、ネットワークアクセスデバイスは、ダウンリンクチャネルを介して、第２のＲＡメッセージを送信する。第２のＲＡメッセージは、無線リソースのリソース配分またはアップリンク（ＵＬ）許可を提供する。
【００１０】
第３のステップでは、ＵＡまたは複数のＵＡは、主として、競合解決の目的のために、配分されたリソースを使用して、ネットワークアクセスデバイスに第３のＲＡメッセージを送信し得る。第３のメッセージは、競合解決のためのＵＡ専用識別子を含み得る。加えて、第３のメッセージは、例えば、バッファ状態情報を含み、例えば、ＵＡによって送信されることが要求されるデータの質をネットワークアクセスデバイスに通知し得る。
【００１１】
第４のステップでは、ネットワークアクセスデバイスは、競合が存在せず、（すなわち、第３のＲＡメッセージが、ネットワークアクセスデバイスによる復号が成功した）、ＵＡがセッションを確立するために適切な量のリソース容量を配分されたことをＵＡに示す、第４のＲＡメッセージを送信する。また、第４のランダムアクセスメッセージは、バッファ状態報告において指定される、任意のＱｏＳまたは他の要件あるいは配慮事項を含み得る。第４のＲＡメッセージが承認された後、ＵＡは、ネットワークアクセスデバイスに接続される。
本願発明は、例えば、以下の項目を提供する。
（項目１）
ユーザエージェント（ＵＡ）とアクセスデバイスとの間のランダムアクセス（ＲＡ）プロシージャのための方法であって、
ＲＡメッセージ１を該アクセスデバイスに送信することと、
ＲＡメッセージ２を該アクセスデバイスから受信することであって、該ＲＡメッセージ２は、無線リソースのリソース配分またはアップリンク許可を提供する、ことと、
伝送時間間隔バンドリングを使用して、ＲＡメッセージ３を該アクセスデバイスに送信することと
を含む、方法。
（項目２）
前記ＲＡメッセージ１は、前記ＲＡメッセージ３において使用される伝送時間間隔バンドリングを示すインジケータを含む、項目１に記載の方法。
（項目３）
前記ＲＡメッセージ１は、前記ＲＡメッセージ３における伝送時間間隔バンドリングのためのリソース配分要求を示すインジケータを含む、項目１に記載の方法。
（項目４）
前記ＲＡメッセージ１は、特殊プリアンブルを含み、該特殊プリアンブルは、前記ＲＡメッセージ３における伝送時間間隔バンドリングのためのリソース配分要求を示す、項目１に記載の方法。
（項目５）
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、項目４に記載の方法。
（項目６）
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、項目３に記載の方法。
（項目７）
前記特殊プリアンブルは、特殊プリアンブル群から選択される、項目４に記載の方法
（項目８）
前記特殊プリアンブル群は、放送制御チャネル（Ｂｒｏａｄｃａｓｔ  Ｃｏｎｔｒｏｌ
Ｃｈａｎｎｅｌ）において示される、項目７に記載の方法。
（項目９）
前記ＵＡが、前記アクセスデバイスと関連付けられた少なくとも１つのチャネルの信号質を測定し、該測定された信号質に基づいて、伝送時間間隔バンドリングを使用するかどうかを決定することをさらに含む、項目１に記載の方法。
（項目１０）
前記信号質は、信号対雑音比としてさらに定義され、該信号対雑音比が閾値を下回る場合に、伝送時間間隔バンドリングを使用するかどうか決定することをさらに含む、項目９に記載の方法。
（項目１１）
ユーザエージェント（ＵＡ）とアクセスデバイスとの間のランダムアクセスを確立するための方法であって、
ＲＡメッセージ１を該ＵＡから受信することと、
ＲＡメッセージ２を該ＵＡに送信することであって、該ＲＡメッセージ２は、無線リソースのリソース配分またはアップリンク許可を提供する、ことと、
伝送時間間隔バンドリングを使用して、該ＵＡによって送信されたＲＡメッセージ３を受信することと
を含む、方法。
（項目１２）
前記アクセスデバイスが、前記ＵＡが伝送時間間隔バンドリングを使用するために十分な無線リソースのリソース配分またはアップリンク許可を提供することをさらに含む、項目１１に記載の方法。
（項目１３）
前記ＲＡメッセージ１は、前記ＲＡメッセージ３において使用される伝送時間間隔バンドリングを示すインジケータを含む、項目１１に記載の方法。
（項目１４）
前記ＲＡメッセージ１は、前記ＲＡメッセージ３における伝送時間間隔バンドリングのためのリソース配分要求を示すインジケータを含む、項目１１に記載の方法。
（項目１５）
前記ＲＡメッセージ１は、特殊プリアンブルを含み、該特殊プリアンブルは、前記ＲＡメッセージ３における伝送時間間隔バンドリングのためのリソース配分要求を示す、項目１４に記載の方法。
（項目１６）
前記特殊プリアンブルは、特殊プリアンブル群から選択される、項目１５に記載の方法。
（項目１７）
前記特殊プリアンブル群は、放送制御チャネル（Ｂｒｏａｄｃａｓｔ  Ｃｏｎｔｒｏｌ
Ｃｈａｎｎｅｌ）において示される、項目１６に記載の方法。
（項目１８）
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、項目１４に記載の方法。
（項目１９）
ユーザエージェント（ＵＡ）であって、
該ＵＡがＲＡメッセージ１をアクセスデバイスに送信し、ＲＡメッセージ２を該アクセスデバイスから受信するように構成されている構成要素を備え、
該ＲＡメッセージ２は、無線リソースのリソース配分またはアップリンク許可を提供し、該構成要素は、伝送時間間隔バンドリングを使用して、ＲＡメッセージ３を該アクセスデバイスに送信するようにさらに構成されている、ＵＡ。
（項目２０）
前記ＲＡメッセージ１は、前記ＲＡメッセージ３において使用される伝送時間間隔バンドリングを示すインジケータを含む、項目１９に記載のＵＡ。
（項目２１）
前記ＲＡメッセージ１は、前記ＲＡメッセージ３における伝送時間間隔バンドリングのためのリソース配分要求を示すインジケータを含む、項目１９に記載のＵＡ。
（項目２２）
前記ＲＡメッセージ１は、特殊プリアンブルを含み、該特殊プリアンブルは、前記ＲＡメッセージ３における伝送時間間隔バンドリングのためのリソース配分要求を示す、項目１９に記載のＵＡ。
（項目２３）
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、項目２２に記載のＵＡ。
（項目２４）
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、項目２１に記載のＵＡ。
（項目２５）
前記特殊プリアンブルは、特殊プリアンブル群から選択される、項目２２に記載のＵＡ。
（項目２６）
前記特殊プリアンブル群は、放送制御チャネル（Ｂｒｏａｄｃａｓｔ  Ｃｏｎｔｒｏｌ
Ｃｈａｎｎｅｌ）において示される、項目２５に記載のＵＡ。
（項目２７）
前記ＵＡが、前記アクセスデバイスと関連付けられた少なくとも１つのチャネルの信号質を測定し、該測定された信号質に基づいて、伝送時間間隔バンドリングを使用するかどうか決定することをさらに含む、項目１９に記載のＵＡ。
（項目２８）
前記信号質は、信号対雑音比としてさらに定義され、該信号対雑音比が閾値を下回る場合に、伝送時間間隔バンドリングを使用するかどうか決定することをさらに含む、項目２７に記載のＵＡ。
（項目２９）
アクセスデバイスであって、
該アクセスデバイスがＲＡメッセージ１をユーザエージェント（ＵＡ）から受信し、ＲＡメッセージ２を該ＵＡに送信するように構成されている構成要素を備え、
該ＲＡメッセージ２は、無線リソースのリソース配分またはアップリンク許可を提供し、該構成要素は、伝送時間間隔バンドリングを使用して、該ＵＡによって送信されたＲＡメッセージ３を受信するようにさらに構成されている、アクセスデバイス。
（項目３０）
前記構成要素は、前記ＵＡが伝送時間間隔バンドリングを使用するために十分な無線リソースのリソース配分またはアップリンク許可を提供するようにさらに構成されている、項目２９に記載のアクセスデバイス。
（項目３１）
前記ＲＡメッセージ１は、前記ＲＡメッセージ３において使用される伝送時間間隔バンドリングを示すインジケータを含む、項目２９に記載のアクセスデバイス。
（項目３２）
前記ＲＡメッセージ１は、前記ＲＡメッセージ３における伝送時間間隔バンドリングのためのリソース配分要求を示すインジケータを含む、項目２９に記載のアクセスデバイス。
（項目３３）
前記ＲＡメッセージ１は、特殊プリアンブルを含み、該特殊プリアンブルは、前記ＲＡメッセージ３における伝送時間間隔バンドリングのためのリソース配分要求を示す、項目３２に記載のアクセスデバイス。
（項目３４）
前記特殊プリアンブルは、特殊プリアンブル群から選択される、項目３３に記載のアクセスデバイス。
（項目３５）
前記特殊プリアンブル群は、放送制御チャネル（Ｂｒｏａｄｃａｓｔ  Ｃｏｎｔｒｏｌ
Ｃｈａｎｎｅｌ）において示される、項目３４に記載のアクセスデバイス。
（項目３６）
前記ＲＡメッセージ２は、前記ＵＡが前記ＲＡメッセージのうちの少なくとも１つにおいて伝送時間間隔バンドリングを使用するために十分な無線リソースのリソース配分またはアップリンク許可を提供する、項目３２に記載のアクセスデバイス。
【図面の簡単な説明】
【００１２】
ここで、本開示のより完全な理解のために、添付の図面および発明を実施するための形態と関連して、以下の簡単な説明を参照する。類似参照数字は、類似部品を表す。
【図１】図１は、本開示の一実施形態に従う、電気通信システムの図である。
【図２】図２は、本開示の一実施形態に従う、通信を行うための方法のフロー図である。
【図３】図３は、本開示の種々の実施形態のうちのいくつかに対して、動作可能なユーザエージェントを含む無線通信システムの図である。
【図４】図４は、本開示の種々の実施形態のうちのいくつかに対して、動作可能なユーザエージェントのブロック図である。
【図５】図５は、本開示の種々の実施形態のうちのいくつかに対して、動作可能なユーザエージェント上に実装され得る、ソフトウェア環境の図である。
【図６】図６は、本開示のいくつの実施形態を実装するために適切な、例示的な汎用コンピュータシステムを例証する。
【発明を実施するための形態】
【００１３】
脆弱信号または干渉を引き起こす不良ネットワーク条件が存在するとき、セッションを確立することは、困難である可能性がある。ＲＡプロシージャの際、第３のメッセージは、例えば、ネットワークアクセスデバイスによって復号されないことがある。これらの条件下、ＵＡは、ハイブリッド自動再送要求（ＨＡＲＱ）等、あるエラー補正プロシージャを利用して、第３のＲＡメッセージを再伝送し得る。しかしながら、エラー補正プロシージャを使用する場合でも、ＵＡは、ネットワークアクセスデバイスとセッションを確立するのが困難である場合がある。また、ＵＡが、現在接続されているとき（すなわち、ＲＣＣ＿Ｃｏｎｎｅｃｔｅｄモード）、大幅な遅延およびサービスの中断が、不良ネットワーク条件の際に生じる。
【００１４】
不良無線または信号条件の際、現在提案されている４つのステップのランダムアクセスプロシージャを使用するときに生じ得る、潜在的問題および非効率性を解決するために、第１の提案または実施形態では、第３のＲＡメッセージ等のＲＡメッセージが、伝送時間間隔（ＴＴＩ）バンドリングとして公知の技術を使用して、ＵＡから伝送可能である。ＴＴＩバンドリングは、リソースが既に確立された後、不良チャネル条件下、通信を改善するものとして周知であって、そのために使用される。本開示は、上述のＲＡプロシージャの際等、初期リソース配分の際のＴＴＩバンドリングの使用を提供する。ＴＴＩバンドリングは、メッセージの長さに関連し、符号化およびインターリーブされるブロックに、メッセージのビットを分割するステップを伴う。これらのブロックは、ネットワークアクセスデバイスがメッセージを復号するとき、エラーがあるビットによって生じる場合、ＴＴＩバンドルにおける付加的ブロックからのビットを使用して、メッセージの復号を成功させ得るように、メッセージの複数のインスタンスを含む。これによって、ネットワークアクセスデバイスは、不良チャネル条件下、メッセージを復号し、再伝送の必要性を低減可能となる。
【００１５】
ＵＡが、ＴＴＩバンドリングを使用して、メッセージの伝送を開始する前に、ネットワークアクセスデバイスは、適切なリソースを配分する必要があり得る。故に、一実施形態では、特殊プリアンブル群または他のインジケータが、ＵＡによってネットワークアクセスデバイスに送信される、第１のＲＡメッセージ内に存在し得る。特殊プリアンブル群は、ネットワークアクセスデバイスが、例えば、第３のＲＡメッセージにおいて、ＴＴＩバンドリングを使用するために十分なリソースを配分することを要求する、１つ以上の命令を含み得る。いくつかの事例では、ＵＡは、第１のＲＡメッセージにおいてＴＴＩバンドリングを使用して、ネットワークアクセスデバイスへのアクセスすることを示す、特殊プリアンブル群内の特殊プリアンブルを伝送し得、特殊プリアンブル群は、放送制御チャネル（Ｂｒｏａｄｃａｓｔ  Ｃｏｎｔｒｏｌ  Ｃｈａｎｎｅｌ）（ＢＣＣＨ）において示され得る。ＵＡからの特殊プリアンブルまたはインジケータの受信に応答して、ネットワークアクセスデバイスは、ＵＡが第３のＲＡメッセージにおいてＴＴＩバンドリングを使用可能なように、リソースを配分する。
【００１６】
プリアンブルについては、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）３６．２１１，  ｃｈａｐｔｅｒ  ５．７．２に詳細に定義されている。合計６４のプリアンブルが利用可能である。特殊プリアンブル群、例えば、プリアンブルインデックス１、２、３、４、５、６、７、８は、第３のＲＡメッセージのためのＵＡのＴＴＩバンドリング要求を示すように定義され得る。これらのプリアンブルは、特殊プリアンブル群を形成可能であって、ＥＮＢは、ＢＣＣＨを介して、セル内のＵＡに本プリアンブルサブセットを信号送信可能である。ＵＡが、本特殊プリアンブルサブセットを受信するとき、ＵＡが、第３のＲＡメッセージのためのＴＴＩバンドリングを必要とすることを決定した場合、ＵＡは、本サブセット（すなわち、プリアンブルインデックス１、２、３、４、５、６、７、８）におけるプリアンブルのうちの１つを使用して、第１のＲＡメッセージを配信し、ＴＴＩバンドリング要求を示し得る。
【００１７】
ＲＡプロシージャの際、不良チャネル条件を識別し、ＴＴＩバンドリングを実装することによって、結果として生じる通信は、改善された信号送信を有し、再伝送を減少させ得る。別の実施形態では、ＵＡは、信号電力を監視し、ネットワークアクセスデバイスと関連付けられた１つ以上のチャネルの信号対雑音比（ＳＮＲ）を決定し得る。例えば、ＵＡまたはネットワークアクセスデバイスのいずれかによって送信され得るＳＮＲが、ある閾値未満である場合、ＵＡは、上述のように、ＴＴＩバンドリングの使用を開始し得る。
【００１８】
図１を参照すると、セッションを確立するための電気通信システム１００の実施形態が例証されている。図１は、例示であって、他の実施形態では、他の構成要素または構成を有し得る。一実施形態では、システム１００は、進化型パケットシステム（ＥＰＳ）、または汎欧州デジタル移動電話方式（ＧＳＭ）データ通信高速化（ＥＤＧＥ）無線アクセスネットワーク（ＧＥＲＡＮ）、あるいはユニバーサル移動体通信システム（ＵＭＴＳ）地上無線アクセス（ＵＴＲＡＮ）ネットワーク、もしくは可能性として他のネットワークであるか、またはそれらの一部を含み得る。システム１００は、３ＧＰＰ進化型ＵＴＲＡＮ（ＥＵＴＲＡＮまたはＬＴＥ）、あるいはＧＥＲＡＮまたはＵＴＲＡＮネットワーク、もしくは可能性として他の技術を使用する、無線アクセスネットワーク内に含まれ得る、アクセスデバイス１０２を含む。インターネットプロトコル（ＩＰ）ＩＰＶ４、ＩＰＶ６、ＧＴＰ、および／または他の現在あるいは将来のプロトコルは、これらの技術によってサポートされ得る。加えて、アクセスデバイス１０２は、インターネットプロトコルベースのネットワーク、パケットベースのネットワーク、公衆電話交換回線網（ＰＳＴＮ）、および／または総合サービスデジタルネットワークのいずれか、あるいはそれらの組み合わせによって、サービス提供され得る。
【００１９】
アクセスデバイス１０２は、ランダムアクセス（ＲＡ）メッセージ１０４、１０６、１０８、および１１０を交換することによって、ＵＡ１０１と通信し得る。ＵＡ１０１が、アクセスデバイス１０２とセッションを確立または再確立することを所望するとき、ＵＡ１０１は、上述のように、ＲＡメッセージ１  １０４をアクセスデバイス１０２に送信し得る。ＲＡメッセージ１  １０４の受信に応じて、アクセスデバイス１０２は、メッセージ２  １０６を通して、ＵＡ１０１にネットワークリソース（例えば、１つ以上の無線チャネル）の動的許可を提供する。ネットワークリソースは、ＵＡ１０１がアクセスデバイス１０２に送信されることが推測され得る、ＲＡメッセージを処理するために十分な容量であり得る。続いて、アクセスデバイス１０２は、典型的パケットデータのサイズと、ＵＡ１０１とアクセスデバイス１０２との間に現在存在し得るチャネル条件とに基づき得る、ある予測データパケットペイロードに基づいて、ネットワークリソースのサイズを決定する。
【００２０】
リソースを許可するメッセージ２  １０６の受信に応じて、ＵＡ１０１は、主として、競合解決の目的のために、ＲＡメッセージ３  １０８をアクセスデバイス１０２に送信する。アクセスデバイス１０２は、標準技術を使用して、受信したパケットがＲＡメッセージ３  １０８であるかどうかを決定可能である。本決定に応じて、アクセスデバイス１０２は、ＲＡメッセージ４  １１０をＵＡ１０１に送信可能である。
【００２１】
上述のように、ＵＡ１０１が、不良無線またはチャネル条件がＵＡ１０１とアクセスデバイス１０２との間に存在すると決定するとき、ＵＡ１０１は、種々のＲＡプロシージャの際、ＴＴＩバンドリングを開始し得る。ＵＡ１０１は、種々の手法において、アクセスデバイス１０２、ＵＡ１０１、または他のシステムによって設定される閾値に対して、ＳＮＲあるいはその他等のチャネル条件を測定し得る。チャネル質に基づいて、ＵＡ１０１は、ＲＡメッセージ１  １０４において等、ＴＴＩバンドリングのためのリソースを要求し得る。ＲＡメッセージ１  １０４における、ＵＡ１０１による本要求は、アクセスデバイス１０２によって復号されるとき、ＲＡメッセージ３  １０８のためのＴＴＩバンドリングのリソースを配分することを示す、特殊プリアンブル等のインジケータであり得る。いくつかの実施形態では、特殊プリアンブルのセット（プリアンブル群）は、ＢＣＣＨにおいて伝送され得るが、他の実施形態では、その他において伝送され得る。
【００２２】
ＵＡ１０１からのインジケータの受信に応答して、アクセスデバイス１０２は、メッセージ２  １０６において、ＵＡ１０１によって使用され、ＴＴＩバンドリングを使用して、ＲＡメッセージ３  １０８を伝送するために十分なリソースを配分する。メッセージ２  １０６におけるリソースの配分に応答して、ＵＡ１０１は、ＴＴＩバンドリングを使用して、１０８ａ−ｄとして示されるようなＲＡメッセージ３  １０８の複数の同時再伝送を含む、ＲＡメッセージ３  １０８を伝送する。
【００２３】
上述のＲＡプロシージャは、ＲＲＣ＿ＩＤＬＥ（非接続）またはＲＲＣ＿Ｃｏｎｎｅｃｔｅｄ（アクセスデバイス１０２に接続されるが、ＵＡ１０１は、指定リソースを有していない場合がある）に適用可能であり得る。その後、ＲＡメッセージ４  １１０および後続通信は、実質的に通常通り、行われ得る。
【００２４】
図２は、通信を行う方法の実施形態を例証する。ブロック２０２では、１つ以上のランダムアクセス（ＲＡ）メッセージに関連する伝送時間間隔（ＴＴＩ）バンドリングに関して、通信を行うステップが、提供される。図２は、例示であって、他の工程図およびプロシージャも、使用可能である。
【００２５】
図３は、ＵＡ１０１の実施形態を含む、無線通信システムを例証する。ＵＡ１０１は、本開示の側面を実装するために動作可能であるが、本開示は、これらの実装に限定されるべきではない。携帯電話として例証されているが、ＵＡ１０１は、無線ハンドセット、ポケットベル、携帯情報端末（ＰＤＡ）、携帯用コンピュータ、タブレットコンピュータ、またはラップトップコンピュータを含む、種々の形態を成し得る。多くの好適なデバイスは、これらの機能のうちのいくつかはまた全てを組み合わせる。本開示のいくつかの実施形態では、ＵＡ１０１は、携帯用、ラップトップ、またはタブレットコンピュータのような汎用コンピュータデバイスではなく、むしろ、携帯電話、無線ハンドセット、ポケットベル、ＰＤＡまたは車載電気通信デバイス等の特殊用途通信デバイスである。別の実施形態では、ＵＡ１０１は、携帯用、ラップトップ、または他のコンピュータデバイスであり得る。ＵＡ１０１は、ゲーム、在庫管理、ジョブ制御、および／またはタスク管理機能等、特殊活動をサポートし得る。
【００２６】
ＵＡ１０１は、ディスプレイ３０２を含む。また、ＵＡ１０１は、ユーザによる入力のために、概して３０４と呼ばれる、タッチセンサ式表面、キーボード、または他の入力キーも含む。キーボードは、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。ＵＡ１０１は、ユーザが選択するためのオプション、ユーザが作動させるための制御、および／またはユーザが指図するためのカーソルあるいは他の指標を提示し得る。
【００２７】
さらに、ＵＡ１０１は、ダイヤルする番号、またはＵＡ１０１の動作を構成するための種々のパラメータ値を含む、ユーザからのデータ入力を受け取り得る。ＵＥ１０１はユーザコマンドに応答して１つ以上のソフトウェアまたはファームウェアのアプリケーションをさらに実行し得る。これらのアプリケーションは、ユーザ対話に反応して種々のカスタマイズされた機能を果たすようにＵＡ１０１を構成し得る。加えて、ＵＡ１０１は、例えば、無線基地局、無線アクセスポイント、またはピアＵＡ１０１から、無線でプログラムおよび／または構成され得る。
【００２８】
ＵＡ１０１によって実行可能な種々のアプリケーションの中には、ディスプレイ３０２がウェブページを表示することを可能にするウェブブラウザがある。ウェブページは、無線ネットワークアクセスノード、携帯電話の基地局、ピアＵＡ１０１、または任意の他の無線通信ネットワークあるいはシステム３００との無線通信を介して、取得され得る。ネットワーク３００は、インターネット等、有線ネットワーク３０８に連結される。無線リンクおよび有線ネットワークを介して、ＵＡ１０１は、サーバ３１０等、種々のサーバ上の情報へのアクセスを有する。サーバ３１０は、ディスプレイ３０２上に示され得る、コンテンツを提供し得る。代替として、ＵＡ１０１は、中継型またはホップ型接続において、媒介として作用するピアＵＡ１０１を通して、ネットワーク３００にアクセスし得る。
【００２９】
図４は、ＵＡ１０１のブロック図を示す。ＵＡ１０１の種々の公知の構成要素が描写されるが、一実施形態では、列挙された構成要素および／または列挙されない付加的構成要素のサブセットが、ＵＡ１０１に含まれ得る。ＵＡ１０１は、デジタル信号プロセッサ（ＤＳＰ）４０２と、メモリと、を含む。示されるように、ＵＡ１０１は、アンテナおよびフロントエンドユニット４０６と、無線（ＲＦ）送受信機４０８と、アナログベースバンド処理ユニット４１０と、マイクロホン４１２と、イヤホンスピーカ４１４と、ヘッドセットポート４１６と、入力／出力インターフェース４１８と、可撤性メモリカード４２０と、ユニバーサルシリアルバス（ＵＳＢ）ポート４２２と、短距離無線通信サブシステム４２４と、警告４２６と、キーパッド４２８と、タッチセンサ式表面４３０を含み得る、液晶ディスプレイ（ＬＣＤ）と、ＬＣＤコントローラ４３２と、電荷結合素子（ＣＣＤ）カメラ４３４と、カメラコントローラ４３６と、汎世界測位システム（ＧＰＳ）センサ４３８と、をさらに含み得る。一実施形態では、ＵＡ１０１は、タッチセンサ式画面を提供しない、別の種類のディスプレイを含み得る。一実施形態では、ＤＳＰ４０２は、入力／出力インターフェース４１８を通過せずに、メモリ４０４と直接通信し得る。
【００３０】
ＤＳＰ４０２または何らかの他の形態のコントローラあるいは中央処理ユニットは、メモリ４０４に記憶された、またはＤＳＰ４０２自体内に含まれるメモリに記憶された、組み込みソフトウェアまたはファームウェアに従って、ＵＡ１１０の種々の構成要素を制御するように動作する。組み込みソフトウェアまたはファームウェアに加えて、ＤＳＰ４０２は、メモリ４０４に記憶された、または、可撤性メモリカード４２０のような携帯用データ記憶媒体等の情報担体媒体を介して、あるいは有線または無線ネットワーク通信を介して利用可能となった、他のアプリケーションを実行し得る。アプリケーションソフトウェアは、所望の機能性を提供するようにＤＳＰ４０２を構成する、コンパイルされた一式の機械可読命令を備え得るか、または、アプリケーションソフトウェアは、ＤＳＰ４０２を間接的に構成するようにインタープリタまたはコンパイラによって処理される、高次ソフトウェア命令であり得る。
【００３１】
アンテナおよびフロントエンドユニット４０６は、無線信号と電気信号との間で変換するように提供され得、ＵＡ１０１が、セルラーネットワークまたは何らかの他の利用可能な無線通信ネットワークから、あるいはピアＵＡ１０１から、情報を送受信することを可能にする。一実施形態では、アンテナおよびフロントエンドユニット４０６は、複数のアンテナを含み、ビーム形成および／または多重入出力（ＭＩＭＯ）動作をサポートし得る。当業者に公知であるように、ＭＩＭＯ動作は、困難なチャネルを克服する、および／またはチャネルスループットを増加させるために使用することができる、空間的多様性を提供し得る。アンテナおよびフロントエンドユニット４０６は、アンテナ同調および／またはインピーダンス整合構成要素、ＲＦ電力増幅器、および／または低雑音増幅器を含み得る。
【００３２】
ＲＦ送受信機４０８は、周波数シフトを提供し、受信したＲＦ信号をベースバンドに変換し、ベースバンド伝送信号をＲＦに変換する。いくつかの説明では、無線送受信機またはＲＦ送受信機は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解され得る。明確にすることを目的として、ここでの説明は、ＲＦおよび／または無線段階から、この信号処理の説明を分離し、その信号処理を、アナログベースバンド処理ユニット４１０および／またはＤＳＰ４０２あるいは他の中央処理ユニットに概念的に割り当てる。いくつかの実施形態では、ＲＦ送受信機４０８、アンテナおよびフロントエンド４０６の複数部分、およびアナログベースバンド処理ユニット４１０が、１つ以上の処理ユニットおよび／または特定用途向け集積回路（ＡＳＩＣ）に組み入れられ得る。
【００３３】
アナログベースバンド処理ユニット４１０は、入力および出力の種々のアナログ処理、例えば、マイクロホン４１２およびヘッドセット４１６からの入力と、イヤホン４１４およびヘッドセット４１６への出力のアナログ処理を提供し得る。そのため、アナログベースバンド処理ユニット４１０は、ＵＡ１０１を携帯電話として使用可能にする、内蔵マイクロホン４１２およびイヤホンスピーカ４１４に接続するためのポートを有し得る。アナログベースバンド処理ユニット４１０はさらに、ヘッドセットまたは他のハンズフリーマイクロホンおよびスピーカ構成に接続するためのポートを含み得る。アナログベースバンド処理ユニット４１０は、１つの信号方向にデジタル・アナログ変換を、反対の信号方向にアナログ・デジタル変換を提供し得る。いくつかの実施形態では、アナログベースバンド処理ユニット４１０の機能性の少なくとも一部が、デジタル処理構成要素によって、例えば、ＤＳＰ４０２によって、または他の中央処理ユニットによって提供され得る。
【００３４】
ＤＳＰ４０２は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行い得る。一実施形態では、例えば、符号分割多重アクセス（ＣＤＭＡ）技術用途で、伝送器機能のために、ＤＳＰ４０２は、変調、符号化、インターリービング、および拡散を行ってもよく、受信機機能のために、ＤＳＰ４０２は、逆拡散、デインターリービング、復号、および復調を行い得る。別の実施形態では、例えば、直交周波数分割多重アクセス（ＯＦＤＭＡ）技術用途で、伝送器機能のために、ＤＳＰ４０２は、変調、符号化、インターリービング、逆高速フーリエ変換、および周期的接頭辞添付を行ってもよく、受信機機能のために、ＤＳＰ４０２は、周期的接頭辞除去、高速フーリエ変換、デインターリービング、復号、および復調を行い得る。他の無線技術用途では、さらに他の信号処理機能、および信号処理機能の組み合わせが、ＤＳＰ４０２によって行われ得る。
【００３５】
ＤＳＰ４０２は、アナログベースバンド処理ユニット４１０を介して、無線ネットワークと通信し得る。いくつかの実施形態では、通信は、インターネット接続を提供し得、ユーザがインターネット上のコンテンツへのアクセスを獲得することと、Ｅメールおよびテキストメッセージを送受信することとを可能にする。入力／出力インターフェース４１８は、ＤＳＰ４０２ならびに種々のメモリおよびインターフェースを相互接続する。メモリおよび可撤性メモリカード４２０は、ソフトウェアおよびデータを提供し、ＤＳＰ４０２の動作を構成し得る。インターフェースはとりわけ、ＵＳＢインターフェース４２２および短距離無線通信サブシステム４２４であり得る。ＵＳＢインターフェース４２２を使用して、ＵＡ１０１を充電し得、また、ＵＡ１０１に、周辺デバイスとして機能させ、パーソナルコンピュータまたは他のコンピュータシステムと情報を交換可能にし得る。短距離無線通信サブシステム４２４は、赤外線ポート、Ｂｌｕｅｔｏｏｔｈインターフェース、ＩＥＥＥ８０２．１１に準拠する無線インターフェース、または、ＵＡ１０１の、他の近くの携帯デバイスおよび／または無線基地局との無線通信を可能にし得る、任意の他の短距離無線通信サブシステムを含み得る。
【００３６】
入力／出力インターフェース４１８はさらに、誘起されると、例えば、ベルを鳴らす、メロディを再生する、または振動することによって、ＵＡ１０１にユーザへ通知を提供させる、アラート４２６にＤＳＰ４０２を接続し得る。アラート４２６は、無音で振動することによって、または特定の発呼者に対して特定の事前に割り当てられたメロディを再生することによって、着信電話、新しいテキストメッセージ、および留保のリマインダ等の種々の事象のうちのいずれかに対してユーザに警告するための機構としての機能を果たし得る。
【００３７】
キーパッド４２８は、インターフェース４１８を介して、ＤＳＰ４０２に連結し、ユーザが選択を行う、情報を入力する、および別様にＵＡ１０１に入力を提供するための１つの機構を提供する。キーボード４２８は、ＱＷＥＲＴＹ、Ｄｖｏｒａｋ、ＡＺＥＲＴＹ、および逐次タイプ等の完全または縮小の英数字キーボード、または電話キーパッドと関連付けられたアルファベットを伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。別の入力機構は、タッチスクリーン能力を含み、また、ユーザにテキストおよび／またはグラフィックを表示し得る、ＬＣＤ４３０であり得る。ＬＣＤコントローラ４３２は、ＤＳＰ４０２をＬＣＤ４３０に連結する。
【００３８】
ＣＣＤカメラ４３４は、装備された場合、ＵＡ１０１がデジタル写真を撮ることを可能にする。ＤＳＰ４０２は、カメラコントローラ４３６を介して、ＣＣＤカメラ４３４と通信する。別の実施形態では、電荷結合素子カメラ以外の技術に従って動作するカメラが採用され得る。ＧＰＳセンサ４３８は、グローバルポジショニングシステム信号を復号するようにＤＳＰ４０２に連結され、それにより、ＵＡ１０１がその位置を決定することを可能にする。種々の他の周辺機器もまた、付加的な機能、例えば、ラジオおよびテレビ受信を提供するように含まれ得る。
【００３９】
図５は、ＤＳＰ４０２によって実装され得る、ソフトウェア環境５０２を例証する。ＤＳＰ４０２は、ソフトウェアの残りが動作するプラットフォームを提供する、オペレーティングシステムドライバ５０４を実行する。オペレーティングシステムドライバ５０４は、アプリケーションソフトウェアにアクセス可能である標準化インターフェースを伴うＵＡハードウェアに対するドライバを提供する。オペレーティングシステムドライバ５０４は、ＵＡ１０１上で起動するアプリケーション間の制御を転送する、アプリケーション管理サービス（「ＡＭＳ」）５０６を含む。また、図５に示されるのは、ウェブブラウザアプリケーション５０８、メディアプレーヤアプリケーション５１０、およびＪａｖａ（登録商標）アプレット５１２である。ウェブブラウザアプリケーション５０８は、ＵＡ１０１をウェブブラウザとして動作するように構成し、ユーザが情報をフォームに入力し、リンクを選択し、ウェブページの読み出しおよび閲覧することを可能にする。メディアプレーヤアプリケーション５１０は、音声または視聴覚媒体を読み出し、再生するようにＵＡ１０１を構成する。Ｊａｖａ（登録商標）アプレット５１２は、ゲーム、ユーティリティ、および他の機能性を提供するようにＵＡ１０１を構成する。構成要素５１４は、本開示に関係する機能性を提供する場合がある。アプリケーションレイヤにおいて示されるが、構成要素５１４は、環境５０２またはＵＡ１０１上のいずれかの場所内の種々のレイヤに提供され得る。
【００４０】
上記で説明されるＵＡ１０１および他の構成要素は、上記で説明される動作に関する命令を実行することが可能である、処理構成要素を含む場合がある。図６は、本明細書で開示される１つ以上の実施形態を実装するために好適な処理構成要素１３１０を含む、システム１３００の実施例を図示する。プロセッサ１３１０（中央プロセッサユニットまたはＣＰＵと呼ばれてもよい）に加えて、システム１３００は、ネットワーク接続デバイス１３２０、ランダムアクセスメモリ（ＲＡＭ）１３３０、読み出し専用メモリ（ＲＯＭ）１３４０、２次記憶装置１３５０、入力／出力（Ｉ／Ｏ）デバイス１３６０を含み得る。ある場合では、これらの構成要素のいくつかは、相互または図示されない他の構成要素との種々の組み合わせにおいて、存在し得、あるいは結合され得る。これらの構成要素は、単一の物理的実体に、または１つより多くの物理的実体に位置する場合がある。プロセッサ１３１０によって取られるものとして本明細書で説明される、任意の動作は、プロセッサ１３１０によって単独で、または、図面に示されている、あるいは示されていない１つ以上の構成要素と併せて、プロセッサ１３１０によって取られる場合がある。
【００４１】
プロセッサ１３１０は、それがネットワーク接続デバイス１３２０、ＲＡＭ１３３０、ＲＯＭ１３４０、または２次記憶装置１３５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つだけのプロセッサ１３１０が示されているが、複数のプロセッサが存在し得る。したがって、命令は、プロセッサによって実行されるものとして論議され得るが、命令は、同時に、連続的に、または別様に、１つまたは複数のプロセッサによって実行され得る。プロセッサ１３１０は、１つ以上のＣＰＵチップとして実装され得る。
【００４２】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の周知のデバイスの形態を成し得る。これらのネットワーク接続デバイス１３２０は、プロセッサ１３１０が情報を受信する場合があるか、またはプロセッサ１３１０が情報を出力する場合がある、インターネットまたは１つ以上の電気通信ネットワーク、あるいは他のネットワークと、プロセッサ１３１０が通信することを可能にし得る。
【００４３】
ネットワーク接続デバイス１３２０はまた、無線周波数信号またはマイクロ波周波数信号等の電磁波の形態で、データを無線で伝送および／または受信することが可能な１つ以上の送受信機構成要素１３２５も含む場合がある。代替として、データは、導電体の表面の中または上、同軸ケーブルの中、導波管の中、光ファイバ等の光媒体の中、あるいは他の媒体の中を伝播し得る。送受信機構成要素１３２５は、別個の受信および伝送ユニット、または単一の送受信機を含む場合がある。送受信機１３２５によって送信または受信される情報は、プロセッサ１３１０によって処理されたデータまたはプロセッサ１３１０によって実行される命令を含み得る。そのような情報は、例えば、コンピュータデータベースバンド信号または搬送波に組み込まれた信号の形態において、ネットワークから受信され、かつネットワークに出力され得る。データは、データを処理または生成するか、あるいはデータを伝送または受信するために望ましいような異なる順序に従って、順序付けられ得る。ベースバンド信号、搬送波に組み込まれた信号、または、現在使用されている、あるいは今後開発される他の種類の信号が、伝送媒体と呼ばれ得、当業者に周知のいくつかの方法に従って生成され得る。
【００４４】
ＲＡＭ１３３０を使用して、揮発性データを格納し、かつ可能性として、プロセッサ１３１０によって実行される命令を格納し得る。ＲＯＭ１３４０は、典型的には、２次記憶装置１３５０のメモリ容量より少量のメモリ容量を有する、不揮発性メモリデバイスである。ＲＯＭ１３４０を使用して、命令および可能性として命令の実行の際に読み込まれるデータを格納し得る。ＲＡＭ１３３０およびＲＯＭ１３４０両方へのアクセスは、典型的には、２次記憶装置１３５０より高速である。２次記憶装置１３５０は、典型的には、１つ以上のディスクドライブまたはテープドライブから成り、ＲＡＭ１３３０が全作業データを保持するほど十分に大きくない場合、データの不揮発性記憶のために、またはオーバーフローデータ記憶デバイスとして使用され得る。２次記憶装置１３５０は、ＲＡＭ１３３０にロードされるプログラムが実行のために選択されると、そのようなプログラムを記憶するために使用され得る。
【００４５】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含み得る。また、送受信機１３２５は、ネットワーク接続デバイス１３２０の構成要素の代わりに、またはそれに加えて、Ｉ／Ｏデバイス１３６０の構成要素として見なされ得る。Ｉ／Ｏデバイス１３６０の一部または全部は、ディスプレイ４０２および入力４０４等、ＵＡ１０１の上述の図面に描写される種々の構成要素に実質的に類似し得る。
【００４６】
以下の３ｒｄ  Ｇｅｎｅｒａｔｉｏｎ  Ｐａｒｔｎｅｒｓｈｉｐ  Ｐｒｏｊｅｃｔ  （３ＧＰＰ）  Ｔｅｃｈｎｉｃａｌ  Ｓｐｅｃｉｆｉｃａｔｉｏｎ  （ＴＳ）および文書は、あらゆる目的のために、参照することによって本明細書に組み込まれる。ＴＳ３６．３２１、ＴＳ３６．３００、およびＲ２−０８３７２６  ＲＡＮ２  ＃６２ｂｉｓ（Ｗａｒｓａｗ，  Ｐｏｌａｎｄ）。
【００４７】
いくつかの実施形態を本開示で提供したが、開示されたシステムおよび方法は、本開示の精神または範囲から逸脱することなく、多くの他の具体的形態で具現化され得ることを理解されたい。本実施例は、制限的ではなく例証的と見なされるものであり、本明細書で与えられる詳細に制限されることを意図するものではない。例えば、種々の要素または構成要素が組み合わされるか、または別のシステムに統合され得、または、ある特徴が省略されるか、あるいは実装されなくてもよい。
【００４８】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合され得る。相互に連結される、または直接連結される、あるいは通信するものとして示される、または論議される他の項目は、電気的であろうと、機械的であろうと、または別の方法であろうと、何らかのインターフェース、デバイス、または中間構成要素を通して、間接的に連結されるか、または通信し得る。変更、置換、および改変の他の実施例が、当業者によって究明可能であり、本明細書で開示される精神および範囲から逸脱することなく行うことができる。
【図１】
0005291195.tif 000002
【図２】
0005291195.tif 000003
【図３】
0005291195.tif 000004
【図４】
0005291195.tif 000005
【図５】
0005291195.tif 000006
【図６】
0005291195.tif 000007